(57)【特許請求の範囲】
【請求項１】
帽体と、前記帽体の内面に装着されて使用者の頭部を包囲するヘッドバンドと、前記ヘッドバンドを係止するヘッドバンド係止部と、前記ヘッドバンドの締め付け力を調節するヘッドバンド調節具とを有するヘルメットであって、
前記ヘッドバンドは、
前記使用者の前頭部を包囲する前側バンド部と、
前記使用者の後頭部を包囲する後側バンド部とからなり、
前記ヘッドバンド係止部は、
前記帽体の内側の一方の側面に配置された第１バンド係止部及び第３バンド係止部と、
前記帽体の内側の他方の側面に配置された第２バンド係止部及び第４バンド係止部とを備え、
前記ヘッドバンド調節具は、
前記帽体の内側の一方の側面に配置された第１調節具と、
前記帽体の内側の他方の側面に配置された第２調節具とからなり、
前記第１調節具及び第２調節具は、
前記帽体の内面に固定される本体部と、
前記本体部に水平動可能に係合するスライド部と、
前記使用者が前記スライド部を水平方向に動かす操作に用いる操作部と、
複数の歯を有するレール部とをそれぞれ備え、
前記本体部には、前記第３バンド係止部又は前記第４バンド係止部が水平動可能に装着されており、
前記スライド部は、前記第３バンド係止部又は前記第４バンド係止部に接続されており、
前記帽体の内側の一方の側面に配置された前記第１バンド係止部に前記前側バンド部の一方の端部が係止され、
前記帽体の内側の他方の側面に配置された前記第２バンド係止部に前記前側バンド部の他方の端部が係止されることによって、前記前側バンド部が前記帽体に対して回動可能に取り付けられており、
前記帽体の内側の一方の側面に配置された前記第３バンド係止部に前記後側バンド部の一方の端部が係止され、
前記帽体の内側の他方の側面に配置された前記第４バンド係止部に前記後側バンド部の他方の端部が係止されることによって、前記後側バンド部が前記帽体に対して回動可能に取り付けられていることを特徴とするヘルメット。
【請求項２】
前記第１バンド係止部は、略円柱状の突起である第１突起部を有し、
前記第２バンド係止部は、略円柱状の突起である第２突起部を有し、
前記前側バンド部は、
前記一方の端部に略円形の開口である第１孔部を有し、
前記他方の端部に略円形の開口である第２孔部を有し、
前記第１突起部と前記第１孔部が嵌着されることによって前記前側バンド部の前記一方の端部が前記第１バンド係止部に係止され、
前記第２突起部と前記第２孔部が嵌着されることによって前記前側バンド部の前記他方の端部が前記第２バンド係止部に係止されることを特徴とする請求項１に記載のヘルメット。
【請求項３】
前記前側バンド部を所定の回動角度で保持する前側角度保持部を備え、
前記前側角度保持部は、
前記前側バンド部の前記一方の端部に設けられた第１バンド保持部と、
前記前側バンド部の前記他方の端部に設けられた第２バンド保持部と、
前記第１バンド係止部に設けられた第３バンド保持部と、
前記第２バンド係止部に設けられた第４バンド保持部とからなり、
前記第１バンド保持部と前記第３バンド保持部が係脱可能に係合し、
前記第２バンド保持部と前記第４バンド保持部が係脱可能に係合することを特徴とする請求項１又は請求項２に記載のヘルメット。
【請求項４】
前記第１バンド保持部又は前記第３バンド保持部のどちらか一方が第１の凹部であり、他方が前記第１の凹部に係脱可能に嵌合する第１の凸部であり、
前記第２バンド保持部又は前記第４バンド保持部のどちらか一方が第２の凹部であり、他方が前記第２の凹部に係脱可能に嵌合する第２の凸部であることを特徴とする請求項３に記載のヘルメット。
【請求項５】
前記第３バンド係止部は、略円柱状の突起である第３突起部を有し、
前記第４バンド係止部は、略円柱状の突起である第４突起部を有し、
前記後側バンド部は、
前記一方の端部に略円形の開口である第３孔部を有し、
前記他方の端部に略円形の開口である第４孔部を有し、
前記第３突起部と前記第３孔部が嵌着されることによって前記後側バンド部の前記一方の端部が前記第３バンド係止部に係止され、
前記第４突起部と前記第４孔部が嵌着されることによって前記後側バンド部の前記他方の端部が前記第４バンド係止部に係止されることを特徴とする請求項１に記載のヘルメット。
【請求項６】
前記後側バンド部を所定の回動角度で保持する後側角度保持部を備え、
前記後側角度保持部は、
前記後側バンド部の前記一方の端部に設けられた第５バンド保持部と、
前記後側バンド部の前記他方の端部に設けられた第６バンド保持部と、
前記第３バンド係止部に設けられた第７バンド保持部と、
前記第４バンド係止部に設けられた第８バンド保持部とからなり、
前記第５バンド保持部と前記第７バンド保持部が係脱可能に係合し、
前記第６バンド保持部と前記第８バンド保持部が係脱可能に係合することを特徴とする請求項１に記載のヘルメット。
【請求項７】
前記第５バンド保持部又は前記第７バンド保持部のどちらか一方が第３の凹部であり、他方が前記第３の凹部に係脱可能に嵌合する第３の凸部であり、
前記第６バンド保持部又は前記第８バンド保持部のどちらか一方が第４の凹部であり、他方が前記第４の凹部に係脱可能に嵌合する第４の凸部であることを特徴とする請求項６に記載のヘルメット。
【発明の詳細な説明】
【技術分野】
【０００１】
本発明は、帽体の内面に装着されたヘッドバンドを備えたヘルメットに関する。
【背景技術】
【０００２】
登山用や自転車用などのヘルメットにおいては、使用者の頭部を包囲して軽く締め付けるヘッドバンドと、そのヘッドバンドの締め付け力を調節するヘッドバンド調節具と、顎紐が装着されることがある。
例えば、特許文献１には、ピニオンが形成されたヘッドバンド調整体を後頭部に配置したヘッドバンドのサイズ調整装置が記載されている。
また、特許文献２には、２つの弧状バンド部材が環状となるように構成し、両弧状バンド部材の接近及び離間移動の操作を操作手段によって行うヘルメットが記載されている。
また、特許文献３には、帯紐の両端に配置された第１及び第２クラウン歯車に噛合するインバータピニオンを有する調整機構を備えた安全ヘルメットが記載されている。
また、特許文献４には、サイズ調整機能を備えたヘッドバンドと、帽体の両側部から装着者側に延出させた顎紐とを有するヘルメットが記載されている。
【先行技術文献】
【特許文献】
【０００３】
【特許文献１】特開２０１０−２０３０１５号公報
【特許文献２】特開２００１−２６２４２３号公報
【特許文献３】特開平６−２２０８号公報
【特許文献４】特開２０１４−２２１９４７号公報
【発明の概要】
【発明が解決しようとする課題】
【０００４】
特許文献１に記載のサイズ調整装置は後頭部側で操作するものであり、また、回転式のものであるため、素早くヘッドバンドの調整を行うことが困難である。また、ヘッドバンドの上下位置は固定されているため、使用者の額に照明器具などを配置したり、着帽角度に合わせてヘッドバンドの上下位置を調節したりすることができない。
特許文献２のヘルメットは、ヘッドバンドの調整を側頭部で行うことができるものであるが、構成がやや複雑のため小型化が難しい。また、ヘッドバンドの上下位置は固定されているため、使用者の額に照明器具などを配置したり、着帽角度に合わせてヘッドバンドの上下位置を調節したりすることができない。
特許文献３のヘルメットもヘッドバンドの調整を側頭部で行うことができるものであるが、回転式のものであるため、素早くヘッドバンドの調整を行うことが困難である。また、ヘッドバンドの上下位置は固定されているため、使用者の額に照明器具などを配置したり、着帽角度に合わせてヘッドバンドの上下位置を調節したりすることができない。
特許文献４のヘルメットは、サイズ調整機能の具体的構成は記載されていない。また、顎紐の交換は想定されていない。
【０００５】
そこで本発明は、ヘッドバンドを回動させることができ、例えば使用者がヘルメットを被ったままで額に照明器具を配置したり、ヘルメットの着帽角度に合わせてヘッドバンドの上下位置を変更することで頭部にしっかりと固定したりすることができるヘルメットを提供することを目的とする。
【課題を解決するための手段】
【０００６】
請求項１記載の本発明のヘルメットは、帽体と、前記帽体の内面に装着されて使用者の頭部を包囲するヘッドバンドと、前記ヘッドバンドを係止するヘッドバンド係止部と、前記ヘッドバンドの締め付け力を調節するヘッドバンド調節具とを有するヘルメットであって、前記ヘッドバンドは、前記使用者の前頭部を包囲する前側バンド部と、前記使用者の後頭部を包囲する後側バンド部とからなり、前記ヘッドバンド係止部は、前記帽体の内側の一方の側面に配置された第１バンド係止部及び第３バンド係止部と、前記帽体の内側の他方の側面に配置された第２バンド係止部及び第４バンド係止部とを備え、前記ヘッドバンド調節具は、前記帽体の内側の一方の側面に配置された第１調節具と、前記帽体の内側の他方の側面に配置された第２調節具とからなり、前記第１調節具及び第２調節具は、前記帽体の内面に固定される本体部と、前記本体部に水平動可能に係合するスライド部と、前記使用者が前記スライド部を水平方向に動かす操作に用いる操作部と、複数の歯を有するレール部とをそれぞれ備え、前記本体部には、前記第３バンド係止部又は前記第４バンド係止部が水平動可能に装着されており、前記スライド部は、前記第３バンド係止部又は前記第４バンド係止部に接続されており、前記帽体の内側の一方の側面に配置された前記第１バンド係止部に前記前側バンド部の一方の端部が係止され、前記帽体の内側の他方の側面に配置された前記第２バンド係止部に前記前側バンド部の他方の端部が係止されることによって、前記前側バンド部が前記帽体に対して回動可能に取り付けられており、前記帽体の内側の一方の側面に配置された前記第３バンド係止部に前記後側バンド部の一方の端部が係止され、前記帽体の内側の他方の側面に配置された前記第４バンド係止部に前記後側バンド部の他方の端部が係止されることによって、前記後側バンド部が前記帽体に対して回動可能に取り付けられていることを特徴とする。
請求項２に記載の本発明は、請求項１に記載のヘルメットにおいて、前記第１バンド係止部は、略円柱状の突起である第１突起部を有し、前記第２バンド係止部は、略円柱状の突起である第２突起部を有し、前記前側バンド部は、前記一方の端部に略円形の開口である第１孔部を有し、前記他方の端部に略円形の開口である第２孔部を有し、前記第１突起部と前記第１孔部が嵌着されることによって前記前側バンド部の前記一方の端部が前記第１バンド係止部に係止され、前記第２突起部と前記第２孔部が嵌着されることによって前記前側バンド部の前記他方の端部が前記第２バンド係止部に係止されることを特徴とする。
請求項３に記載の本発明は、請求項１又は請求項２に記載のヘルメットにおいて、前記前側バンド部を所定の回動角度で保持する前側角度保持部を備え、前記前側角度保持部は、前記前側バンド部の前記一方の端部に設けられた第１バンド保持部と、前記前側バンド部の前記他方の端部に設けられた第２バンド保持部と、前記第１バンド係止部に設けられた第３バンド保持部と、前記第２バンド係止部に設けられた第４バンド保持部とからなり、前記第１バンド保持部と前記第３バンド保持部が係脱可能に係合し、前記第２バンド保持部と前記第４バンド保持部が係脱可能に係合することを特徴とする。
請求項４に記載の本発明は、請求項３に記載のヘルメットにおいて、前記第１バンド保持部又は前記第３バンド保持部のどちらか一方が第１の凹部であり、他方が前記第１の凹部に係脱可能に嵌合する第１の凸部であり、前記第２バンド保持部又は前記第４バンド保持部のどちらか一方が第２の凹部であり、他方が前記第２の凹部に係脱可能に嵌合する第２の凸部であることを特徴とする。
請求項５に記載の本発明は、請求項１に記載のヘルメットにおいて、前記第３バンド係止部は、略円柱状の突起である第３突起部を有し、前記第４バンド係止部は、略円柱状の突起である第４突起部を有し、前記後側バンド部は、前記一方の端部に略円形の開口である第３孔部を有し、前記他方の端部に略円形の開口である第４孔部を有し、前記第３突起部と前記第３孔部が嵌着されることによって前記後側バンド部の前記一方の端部が前記第３バンド係止部に係止され、前記第４突起部と前記第４孔部が嵌着されることによって前記後側バンド部の前記他方の端部が前記第４バンド係止部に係止されることを特徴とする。
請求項６に記載の本発明は、請求項１に記載のヘルメットにおいて、前記後側バンド部を所定の回動角度で保持する後側角度保持部を備え、前記後側角度保持部は、前記後側バンド部の前記一方の端部に設けられた第５バンド保持部と、前記後側バンド部の前記他方の端部に設けられた第６バンド保持部と、前記第３バンド係止部に設けられた第７バンド保持部と、前記第４バンド係止部に設けられた第８バンド保持部とからなり、前記第５バンド保持部と前記第７バンド保持部が係脱可能に係合し、前記第６バンド保持部と前記第８バンド保持部が係脱可能に係合することを特徴とする。
請求項７に記載の本発明は、請求項６に記載のヘルメットにおいて、前記第５バンド保持部又は前記第７バンド保持部のどちらか一方が第３の凹部であり、他方が前記第３の凹部に係脱可能に嵌合する第３の凸部であり、前記第６バンド保持部又は前記第８バンド保持部のどちらか一方が第４の凹部であり、他方が前記第４の凹部に係脱可能に嵌合する第４の凸部であることを特徴とする。
【発明の効果】
【０００７】
本発明によれば、ヘッドバンドを回動させることができ、例えば使用者がヘルメットを被ったままで額に照明器具を配置したり、ヘルメットの着帽角度に合わせてヘッドバンドの上下位置を変更することで頭部にしっかりと固定したりすることができるヘルメットを提供することができる。
【図面の簡単な説明】
【０００８】
【図１】本実施例によるヘルメットの内側を側方から見た斜視図
【図２】同ヘルメットの内側を前方から見た斜視図
【図３】同ヘルメットに装着されるヘッドバンド係止部及びヘッドバンド調節具の斜視図
【図４】同ヘルメットに装着される前側バンド部の背面図及び正面図
【図５】同前側バンド部を取り付けたヘルメットの内側の状態を後方から見た一部拡大図
【図６】同顎紐を取り付けたヘルメットの内側の状態を示す図
【図７】同顎紐を取り付けたヘルメットの内側の状態を示す一部拡大図
【図８】同顎紐を取り外したヘルメットの内側の状態を示す一部拡大図
【図９】同第１固定保持部の斜視図
【図１０】同第１自由保持部の斜視図
【図１１】同第１自由保持部と第１固定保持部が嵌合した状態の斜視図
【図１２】同顎紐を取り付けたヘルメットの内側の状態を示す一部拡大図
【図１３】同顎紐を取り外したヘルメットの内側の状態を示す一部拡大図
【図１４】同第２自由保持部の斜視図
【図１５】同第２自由保持部と第２固定保持部が嵌合した状態の斜視図
【図１６】本発明の他の実施例によるヘルメットの内側を側方から見た斜視図
【図１７】同ヘルメットに装着されるヘッドバンド調節具の一部透過概略構成図
【図１８】同ヘッドバンド調節具の分解図
【図１９】同ヘッドバンド調節具の分解図
【図２０】同ヘッドバンド調節具の組立図
【図２１】本発明の更に他の実施例によるヘッドバンド調節具を示す一部透過概略構成図
【図２２】本発明の更に他の実施例によるヘッドバンド調節具を示す概略構成図
【発明を実施するための形態】
【０００９】
本発明の第１の実施の形態によるヘルメットは、ヘッドバンドは、使用者の前頭部を包囲する前側バンド部と、使用者の後頭部を包囲する後側バンド部とからなり、ヘッドバンド係止部は、帽体の内側の一方の側面に配置された第１バンド係止部及び第３バンド係止部と、帽体の内側の他方の側面に配置された第２バンド係止部及び第４バンド係止部とを備え、ヘッドバンド調節具は、帽体の内側の一方の側面に配置された第１調節具と、帽体の内側の他方の側面に配置された第２調節具とからなり、第１調節具及び第２調節具は、帽体の内面に固定される本体部と、本体部に水平動可能に係合するスライド部と、使用者がスライド部を水平方向に動かす操作に用いる操作部と、複数の歯を有するレール部とをそれぞれ備え、本体部には、第３バンド係止部又は第４バンド係止部が水平動可能に装着されており、スライド部は、第３バンド係止部又は第４バンド係止部に接続されており、帽体の内側の一方の側面に配置された第１バンド係止部に前側バンド部の一方の端部が係止され、帽体の内側の他方の側面に配置された第２バンド係止部に前側バンド部の他方の端部が係止されることによって、前側バンド部が帽体に対して回動可能に取り付けられており、帽体の内側の一方の側面に配置された第３バンド係止部に後側バンド部の一方の端部が係止され、帽体の内側の他方の側面に配置された第４バンド係止部に後側バンド部の他方の端部が係止されることによって、後側バンド部が帽体に対して回動可能に取り付けられているものである。本実施の形態によれば、前側バンド部を回動させることができるので、例えば使用者の額に照明器具を配置する場合などは、前側バンド部を上方に回動させることで照明器具の配置箇所を確保できる。また、ヘルメットの着帽角度に合わせて前側バンド部の回動角度を変えて上下位置を変更することで、ヘルメットを頭部にしっかりと固定することができる。また、前側バンド部だけでなく後側バンド部も回動させることができるので、例えばヘルメットの着帽角度に合わせて両者の回動角度を別々に調節することで、ヘルメットを頭部に更にしっかりと固定することができる。
本発明の第２の実施の形態は、第１の実施の形態によるヘルメットにおいて、第１バンド係止部は、略円柱状の突起である第１突起部を有し、第２バンド係止部は、略円柱状の突起である第２突起部を有し、前側バンド部は、一方の端部に略円形の開口である第１孔部を有し、他方の端部に略円形の開口である第２孔部を有し、第１突起部と第１孔部が嵌着されることによって前側バンド部の一方の端部が第１バンド係止部に係止され、第２突起部と第２孔部が嵌着されることによって前側バンド部の他方の端部が第２バンド係止部に係止されるものである。本実施の形態によれば、前側バンド部を滑らかに回動させることができる。
本発明の第３の実施の形態は、第１又は第２の実施の形態によるヘルメットにおいて、前側バンド部を所定の回動角度で保持する前側角度保持部を備え、前側角度保持部は、前側バンド部の一方の端部に設けられた第１バンド保持部と、前側バンド部の他方の端部に設けられた第２バンド保持部と、第１バンド係止部に設けられた第３バンド保持部と、第２バンド係止部に設けられた第４バンド保持部とからなり、第１バンド保持部と第３バンド保持部が係脱可能に係合し、第２バンド保持部と第４バンド保持部が係脱可能に係合するものである。本実施の形態によれば、前側バンド部を所定の回動角度で保持することができる。
本発明の第４の実施の形態は、第３の実施の形態によるヘルメットにおいて、第１バンド保持部又は第３バンド保持部のどちらか一方が第１の凹部であり、他方が第１の凹部に係脱可能に嵌合する第１の凸部であり、第２バンド保持部又は第４バンド保持部のどちらか一方が第２の凹部であり、他方が第２の凹部に係脱可能に嵌合する第２の凸部である。本実施の形態によれば、凹部と凸部とが嵌合することによって前側バンド部を所定の回動角度で保持することができる。
本発明の第５の実施の形態は、第１の実施の形態によるヘルメットにおいて、第３バンド係止部は、略円柱状の突起である第３突起部を有し、第４バンド係止部は、略円柱状の突起である第４突起部を有し、後側バンド部は、一方の端部に略円形の開口である第３孔部を有し、他方の端部に略円形の開口である第４孔部を有し、第３突起部と第３孔部が嵌着されることによって後側バンド部の一方の端部が第３バンド係止部に係止され、第４突起部と第４孔部が嵌着されることによって後側バンド部の他方の端部が第４バンド係止部に係止されるものである。本実施の形態によれば、滑らかに後側バンドを回動させることができる。
本発明の第６の実施の形態は、第１の実施の形態によるヘルメットにおいて、後側バンド部を所定の回動角度で保持する後側角度保持部を備え、後側角度保持部は、後側バンド部の一方の端部に設けられた第５バンド保持部と、後側バンド部の他方の端部に設けられた第６バンド保持部と、第３バンド係止部に設けられた第５バンド保持部と、第４バンド係止部に設けられた第６バンド保持部とからなり、第５バンド保持部と第５バンド保持部が係脱可能に係合し、第６バンド保持部と第６バンド保持部が係脱可能に係合するものである。後側バンドを所定の回動角度で保持することができる。凹部と凸部とが嵌合することによって後側バンドを所定の回動角度で保持することができる。
本発明の第７の実施の形態は、第６の実施の形態によるヘルメットにおいて、第５バンド保持部又は第６バンド保持部のどちらか一方が第３の凹部であり、他方が第３の凹部に係脱可能に嵌合する第３の凸部であり、第６バンド保持部又は第６バンド保持部のどちらか一方が第４の凹部であり、他方が第４の凹部に係脱可能に嵌合する第４の凸部である。本実施の形態によれば、凹部と凸部とが嵌合することによって後側バンドを所定の回動角度で保持することができる。
【実施例】
【００１０】
以下、本発明の一実施例によるヘルメットについて説明する。
【００１１】
図１は本実施例によるヘルメットの内側を側方から見た斜視図、図２は同ヘルメットの内側を前方から見た斜視図、図３は同ヘルメットに装着されるヘッドバンド係止部及びヘッドバンド調節具の斜視図、図４は同ヘルメットに装着される前側バンド部の（ａ）背面図及び（ｂ）正面図、図５は同前側バンド部を取り付けたヘルメットの内側の状態を後方から見た一部拡大図である。
【００１２】
図１及び図２に示すように、ヘルメット１０は、硬質の帽体１１の内面に、使用者の頭部を包囲するヘッドバンド２０、ヘッドバンド２０を係止するヘッドバンド係止部３０、衝撃吸収ライナ４０、顎紐を保持する顎紐保持部５０、及びヘッドバンド調節具６０を有する。
ヘルメット１０は、帽体１１の外面に、照明器具等の外装部材の取付ベルトを掛止する外装部材掛止部７０を有する。外装部材掛止部７０は、帽体１１の前方側の左右二箇所と後方側の中央一箇所の、計３箇所に設けられている。また、帽体１１に通風口８０となる複数の開口が形成されている。帽体１１の前方側の左右二箇所に設けられた外装部材係止部７０は、それぞれ通風口８０の一部を覆うように配置されている。
【００１３】
帽体１１は、使用者の前頭部から頭頂部付近にかけて配置される前方帽体１１Ａと、使用者の後頭部に配置される後方帽体１１Ｂとからなる。前方帽体１１Ａと後方帽体１１Ｂは、前方帽体１１Ａの後方側内面に後方帽体１１Ｂの前方側外面が接するように接合されている。帽体１１を二分割することで、前方と後方とで形状を異ならせることが容易となる。本実施例では、前方帽体１１Ａの形状を流線形として空気抵抗を軽減するとともに、後方帽体１１Ｂの形状を丸みを帯びた形として後頭部を広く覆って安全性を高めている。
【００１４】
ヘッドバンド２０は、使用者の前頭部から側頭部にかけて包囲する固定長の前側バンド部２１と、使用者の後頭部から側頭部にかけて包囲する固定長の後側バンド部２２とからなる。前側バンド部２１及び後側バンド部２２は、それぞれ一本の帯状であり、弧状に取り付けられる。また、中央部には通気及び軽量化のための複数の開口２１Ａ、２２Ａが形成されている。
【００１５】
図１から図４に示すように、前側バンド部２１は、一方の端部に略円形の開口である第１孔部２３Ａを有し、他方の端部に略円形の開口である第２孔部２３Ｂを有する。
後側バンド部２２は、一方の端部に略円形の開口である第３孔部２４Ａを有し、他方の端部に略円形の開口である第４孔部（図示無し）を有する。
【００１６】
ヘッドバンド係止部３０とヘッドバンド調節具６０とは一体的に設けられている。なお、ヘッドバンド係止部３０とヘッドバンド調節具６０を別々に設けてもよい。ヘッドバンド係止部３０及びヘッドバンド調節具６０は、帽体１１の内面の左右側部に一対で配置される。
ヘッドバンド調節具６０は、本体部９０、使用者がヘッドバンド調節具６０の操作に用いる操作部１１０、及び歯面を有するレール部１２０を備え、帽体１１の内面の側部に固定されている。
【００１７】
図３及び図５に示すように、ヘッドバンド係止部３０は、帽体１１の内側の一方の側面に配置された第１バンド係止部３１Ａ及び第３バンド係止部３２Ａと、帽体１１の内側の他方の側面に配置された第２バンド係止部３１Ｂ及び第４バンド係止部３２Ｂを備える。
第１バンド係止部３１Ａ及び第２バンド係止部３１Ｂは、本体部９０の一方の側部の上端から延出して設けられている。第３バンド係止部３２Ａ及び第４バンド係止部３２Ｂは、本体部９０に配置されている。第３バンド係止部３２Ａ及び第４バンド係止部３２Ｂは、第１バンド係止部３１Ａ及び第２バンド係止部３１Ｂよりも帽体１１の開口端側に配置されている。
【００１８】
第１バンド係止部３１Ａは略円柱状の突起である第１突起部３４Ａを有し、第２バンド係止部３１Ｂは略円柱状の突起である第２突起部３４Ｂを有する。
第１突起部３４Ａ、第２突起部３４Ｂの直径は、それぞれ第１孔部２３Ａ、第２孔部２３Ｂの直径よりも小さい。第１突起部３４Ａと第１孔部２３Ａとが嵌着されることによって、前側バンド部２１の一方の端部が第１バンド係止部３１Ａに係止される。第２突起部３４Ｂと第２孔部２３Ｂとが嵌着されることによって、前側バンド部２１の他方の端部が第２バンド係止部３１Ｂに係止される。第１孔部２３Ａの内周面と第１突起部３４Ａの外周面との間、及び第２孔部２３Ｂの内周面と第２突起部３４Ｂの外周面との間には回動可能なように隙間が設けられている。このようにして、前側バンド部２１が帽体１１に対して回動可能に取り付けられている。
なお、第１突起部３４Ａ及び第２突起部３４Ｂを略円柱状の突起とし、第１孔部２３Ａ及び第２孔部２３Ｂを略円形の開口としたことで、前側バンド部２１を滑らかに回動させることができる。
また、第１突起部３４Ａには、外周面から外側に延出した第１突起壁部３４Ａａ、３４Ａｂが１８０度異なる位置に対称に設けられている。第１孔部２３Ａには、内周面から内側に延出した細長の第１孔壁部２３Ａａ、２３Ａｂが互いの側面が対向するように設けられている。第１突起部３４Ａと第１孔部２３Ａとが嵌着されたときに、第１突起壁部３４Ａａ、３４Ａｂに第１孔壁部２３Ａａ、２３Ａｂが接することで、第１突起部３４Ａから第１孔部２３Ａが外れることが防止される。
同様に、第２突起部３４Ｂには、外周面から外側に延出した第２突起壁部３４Ｂａ、３４Ｂｂが１８０度異なる位置に対称に設けられている。第２孔部２３Ｂには、内周面から内側に延出した細長の第２孔壁部２３Ｂａ、２３Ｂｂが互いの側面が対向するように設けられている。第２突起部３４Ｂと第２孔部２３Ｂとが嵌着されたときに、第２突起壁部３４Ｂａ、３４Ｂｂに第２孔壁部２３Ｂａ、２３Ｂｂが接することで、第２突起部３４Ｂから第２孔部２３Ｂが外れることが防止される。
【００１９】
第３バンド係止部３２Ａは略円環状の突起である第３突起部３５Ａを有し、第４バンド係止部３２Ｂは略円環状の突起である第４突起部３５Ｂを有する。
第３突起部３５Ａ、第３突起部３５Ｂの直径は、それぞれ第３孔部２４Ａ、第４孔部の直径よりも小さい。第３突起部３５Ａと第３孔部２４Ａが嵌着されることによって、後側バンド部２２の一方の端部が第３バンド係止部３２Ａに係止される。第４突起部３５Ｂと第４孔部とが嵌着されることによって、後側バンド部２２の他方の端部が第４バンド係止部３２Ｂに係止される。第３孔部２４Ａの内周面と第３突起部３５Ａの外周面との間、及び第４孔部の内周面と第４突起部３５Ｂの外周面との間には回動可能なように隙間が設けられている。このようにして、後側バンド部２２が帽体１１に対して回動可能に取り付けられている。
なお、第３突起部３５Ａ及び第４突起部３５Ｂを略円環状の突起とし、第３孔部２４Ａ及び第４孔部を略円形の開口としたことで、後側バンド部２２を滑らかに回動させることができる。
また、第３突起部３５Ａには、外周面から外側に延出した第３突起壁部３５Ａａ、３５Ａｂが１８０度異なる位置に対称に設けられている。第３孔部２４Ａには、内周面から内側に延出した細長の第３孔壁部２４Ａａ、２４Ａｂが互いの側面が対向するように設けられている。第３突起部３５Ａと第３孔部２４Ａとが嵌着されたときに、第３突起壁部３５Ａａ、３５Ａｂに第３孔壁部２４Ａａ、２４Ａｂが接することで、第３突起部３５Ａから第３孔部２４Ａが外れることが防止される。
同様に、第４突起部３５Ｂには、外周面から外側に延出した第４突起壁部３５Ｂａ、３５Ｂｂが１８０度異なる位置に対称に設けられている。第４孔部には、内周面から内側に延出した細長の第４孔壁部（図示無し）が互いの側面が対向するように設けられている。第４突起部３５Ｂと第４孔部とが嵌着されたときに、第４突起壁部３５Ｂａ、３５Ｂｂに第４孔壁部が接することで、第４突起部３５Ｂから第４孔部が外れることが防止される。
【００２０】
図５（ａ）は前側バンド部２１が水平の状態を示し、図５（ｂ）は前側バンド部２１が上方に回動した状態を示す。なお、後側バンド部２２は省略している。
例えば使用者の額に照明器具等の機材を配置しようとする場合は、前側バンド部２１が通常の使用位置（図５（ａ）に示す水平の状態）にあると、前側バンド部２１と機材が干渉するため機材を配置することが困難である。しかし、本実施例において前側バンド部２１は回動可能に取り付けられているので、前側バンド部２１を上方に回動させて図５（ｂ）に示す位置に変更することによって、前側バンド２１が通常位置する領域を空けて機材の配置箇所を確保できる。
また、前側バンド２１の回動角度と後側バンド２２の回動角度を別々に調節できるので、ヘルメット１０を頭部にしっかりと固定することができる。例えばヘルメット１０を後ろ下がり又は前下がりに被るときなどヘルメット１０の着帽角度に合わせて後側バンド２２を下方又は上方に回動させる場合は、前側バンド２１を後側バンド２２との平行を保つように回動させることで、ヘルメット１０を頭部にしっかりと固定することができる。あるいは、着帽角度が変わっても常に前側バンド２１が水平となるように回動角度を調節してもよい。
【００２１】
前側バンド部２１は、前側角度保持部によって所定の回動角度で保持される。図３及び図４に示すように、前側角度保持部は、前側バンド部２１の一方の端部に設けられた第１バンド保持部２５と、前側バンド部２１の他方の端部に設けられた第２バンド保持部２６と、第１バンド係止部３１Ａに設けられた第３バンド保持部２７と、第２バンド係止部３１Ｂに設けられた第４バンド保持部（図示無し）とからなる。
第１バンド保持部２５は複数の円形の第１の凹部２５Ａからなり、前側バンド部２１の一方の端部の背面（第１バンド係止部３１Ａと対向する面）側に配置される。第２バンド保持部２６は複数の円形の第２の凹部２６Ａからなり、前側バンド部２１の他方の端部の背面（第２バンド係止部３１Ｂと対向する面）側に配置される。第３バンド保持部２７は複数の円形の第１の凸部２７Ａからなり、第１バンド係止部３１Ａの表面（前側バンド部２１の一方の端部と対向する面）側に配置される。第４バンド保持部は複数の円形の第２の凸部（図示無し）からなり、第２バンド係止部３１Ｂの表面（前側バンド部２１の他方の端部と対向する面）側に配置される。
前側バンド部２１を回動させて第１の凹部２５Ａと第１の凸部２７Ａ、及び第２の凹部２６Ａと第２の凸部が重なると、第１の凹部２５Ａと第１の凸部２７Ａとが嵌合し、第２の凹部２６Ａと第２の凸部が嵌合して前側バンド部２１をその回動角度で保持することができる。回動角度を変更するときは、回動方向に力を加えることで第１の凹部２５Ａと第１の凸部２７Ａ、及び第２の凹部２６Ａと第２の凸部との嵌合が解除される。
【００２２】
後側バンド部２２は、後側角度保持部によって所定の回動角度で保持される。図３及び図５に示すように、後側角度保持部は、後側バンド部２２の一方の端部に設けられた第５バンド保持部（図示無し）と、後側バンド部２２の他方の端部に設けられた第６バンド保持部（図示無し）と、第３バンド係止部３２Ａに設けられた第７バンド保持部３６と、第４バンド係止部３２Ｂに設けられた第８バンド保持部３７とからなる。
第５バンド保持部は複数の第３の凹部（図示無し）からなり、後側バンド部２２の一方の端部の背面（第３バンド係止部３２Ａと対向する面）側に配置される。第６バンド保持部は複数の第４の凹部（図示無し）からなり、後側バンド部２２の他方の端部の背面（第４バンド係止部３２Ｂと対向する面）側に配置される。第７バンド保持部３６は第３突起部３５Ａの外周面に設けられた複数の第３の凸部（歯面）３６Ａからなり、第３バンド係止部３２Ａの表面（後側バンド部２２の一方の端部と対向する面）側に配置される。第８バンド保持部３７は第４突起部３５Ｂの外周面に設けられた複数の第４の凸部（歯面）３７Ａからなり、第４バンド係止部３２Ｂの表面（後側バンド部２２の他方の端部と対向する面）側に配置される。
後側バンド部２２を回動させて第５バンド保持部の第３の凹部と第３の凸部３６Ａ、及び第６バンド保持部の第４の凹部と第４の凸部３７Ａが重なると、第５バンド保持部の第３の凹部と第３の凸部３６Ａとが嵌合し、第６バンド保持部の第４の凹部と第４の凸部３７Ａが嵌合して後側バンド部２２をその回動角度で保持することができる。回動角度を変更するときは、回動方向に力を加えることで第５バンド保持部の第３の凹部と第３の凸部３６Ａ、及び第６バンド保持部の第４の凹部と第４の凸部３７Ａとの嵌合が解除される。
なお、後側角度保持部の構成と前側角度保持部の構成とを同じにしてもよい。
【００２３】
図６は本実施例による顎紐を取り付けたヘルメットの内側の状態を示す図である。なお、顎紐の一部等を省略している。
顎紐１２を保持する顎紐保持部５０は、帽体１１の内側の一方の側面と他方の側面に一対で配置される前側顎紐保持部５１と、後面中央に配置される後側顎紐保持部５２とを備える。前側顎紐保持部５１及び後側顎紐保持部５２は、帽体１１の開口端近傍に設けられており、衝撃吸収ライナ４０に覆われていない。
前側顎紐保持部５１には顎紐１２の端部が接続され、後側顎紐保持部５２には顎紐１２の中間部が通されている。
【００２４】
図７は本実施例による顎紐を取り付けたヘルメットの内側の状態を示す一部拡大図、図８は本実施例による顎紐を取り外したヘルメットの内側の状態を示す一部拡大図である（衝撃吸収ライナ等は省略している）。
前側顎紐保持部５１は、帽体１１に固定された第１固定保持部５３と、第１固定保持部５３に脱着可能に係止される第１自由保持部５４とからなる。
帽体１１の前方側の外面に設けられた外装部材係止部７０の下方の帽体１１には貫通孔１４（図５参照）が形成されており、第１固定保持部５３は、その貫通孔１４を介して帽体１１の前方側に設けられた外装部材係止部７０に固定されている。
第１固定保持部５３は略円形であり、中央に円筒状の固定円筒部５３Ａが設けられ、その周囲に凹部５３Ｂが形成されている。固定円筒部５３Ａの中央にはネジ孔が設けられており、ネジ孔に螺入されたネジ５５が帽体１１に形成された貫通孔１４を通って、第１固定保持部５３と帽体１１の前方側の外面に設けられた外装部材係止部７０とをネジ止めする。このように、第１固定保持部５３を帽体１１に直接固定するのではなく、帽体１１の外面に設けられた外装部材掛止部７０に固定することで、帽体１１の厚みを厚くしたり別部材を設けたりする必要が無い。
【００２５】
図９は本実施例による第１固定保持部の斜視図である。
第１固定保持部５３の凹部５３Ｂは、略円形のリング部５３Ｂａと、第１自由保持部５４との対向面側にリング部５３Ｂａの内周に沿って設けられた鍔部５３Ｂｂと、鍔部５３Ｂｂの一部を切欠いて形成された切欠部５３Ｂｄとを備える。また、第１回転阻害部として、リング部５３Ｂａの外周の一部に径方向外側に突出したリング突起部５３Ｂｃが設けられている。
鍔部５３Ｂｂは略円形であり、リング部５３Ｂａの厚みよりも薄い。鍔部５３Ｂｂの内周と固定円筒部５３Ａの外周との間に略円形の円形孔部５３Ｂｅが形成される。
切欠部５３Ｂｄは、鍔部５３Ｂｂの二箇所に形成され、一方の切欠部５３Ｂｄと他方の切欠部５３Ｂｄとは１８０度離れて位置する。切欠部５３Ｂｄは、帽体１１に第１固定保持部５３が固定された状態において、図８に示すように、上方側（頭頂部側）と下方側（反頭頂部側）に位置している。切欠部５３Ｂｄの幅は、固定円筒部５３Ａの直径とほぼ等しい。
リング突起部５３Ｂｃは、円形孔部５３Ｂｅ及び切欠部５３Ｂｄを挟んで二箇所に設けられている。一方のリング突起部５３Ｂｃと他方のリング突起部５３Ｂｃは、帽体１１に第１固定保持部５３が固定された状態において、上方側（頭頂部側）の斜め左右にそれぞれ位置している。リング突起部５３Ｂｃは山形であり、先端に向かうにつれて幅が狭くなるように両側が傾斜している。
【００２６】
図１０は本実施例による第１自由保持部の斜視図である。
第１自由保持部５４は、所定の厚みを有する略円形の小片である。第１自由保持部５４は、本体部５４Ａの外周の一部から延出した延出部５４Ｂを有し、延出部５４Ｂには細長い弧状の開口である接続開口５４Ｃが形成されている。顎紐１２の端部は、接続開口５４Ｃに接続される。
第１自由保持部５４の一方の面には、凹部５３Ｂに嵌合する凸部５４Ｄが設けられている。他方の面には凸部５４Ｄが設けられていないので、第１自由保持部５４を常に正しい向きで第１固定保持部５３に装着できる。したがって、顎紐１２の捩れを防止することができる。
凸部５４Ｄは、略円形の外側円環部５４Ｄａと、外側円環部５４Ｄａよりも径が小さい略円形の内側円環部５４Ｄｂとを備える。外側円環部５４Ｄａの内周と内側円環部５４Ｄｂの外周との間には、略円形の溝部５４Ｄｃが形成されている。溝部５４Ｄｃの径は凹部５３Ｂのリング部５３Ｂａの径よりもやや大きく、第１自由保持部５４を第１固定保持部５３に装着する際に溝部５４Ｄｃにリング部５３Ｂａが挿入される。
外側円環部５４Ｄａは、第１円弧部５４Ｄａａと、第１円弧部５４Ｄａａよりも短い第２円弧部５４Ｄａｂとからなる。第２回転阻害部となる第２円弧部５４Ｄａｂは第１円環部５４Ｄａａの両端間に設けられ、第１円弧部５４Ｄａａと第２円弧部５４Ｄａｂとは離間している。すなわち外側円環部５４Ｄａは、途中二箇所で途切れている。第１円弧部５４Ｄａａは、延出部５４Ｂと連接している。第２円弧部５４Ｄａｂは、延出部５４Ｂと１８０度離れた位置に設けられている。
第１円弧部５４Ｄａａ及び第２円弧部５４Ｄａｂは、それぞれ内周側に段差５４Ｄａｃ、５４Ｄａｄを有する。
内側円環部５４Ｄｂは、外周の二箇所に径方向外側に突出した爪部５４Ｄｄを有する。一方の爪部５４Ｄｄと他方の爪部５４Ｄｄとは１８０度離れて位置する。爪部５４Ｄｄの幅は凹部５３Ｂの切欠部５３Ｂｄの幅よりも小さく、第１自由保持部５４を第１固定保持部５３に装着する際に爪部５４Ｄｄは切欠部５３Ｂｄに挿入される。また、内側円環部５４Ｄｂの内径は、固定円筒部５３Ａの外径よりも大きく、第１自由保持部５４を第１固定保持部５３に装着する際に内側円環部５４Ｄｂに固定円筒部５３Ａが挿入される。
【００２７】
図１１は本実施例による第１自由保持部と第１固定保持部が嵌合した状態を第１固定保持部側から見た斜視図である。
第１自由保持部５４を第１固定保持部５３に係止する場合には、凹部５３Ｂの切欠部５３Ｂｄの向きと凸部５４Ｄの爪部５４Ｄｄの向きを合わせて、凹部５３Ｂに凸部５４Ｄを挿入する。これにより図１１（ａ）に示す状態となる。
凹部５３Ｂに凸部５４Ｄが嵌合された状態において、第１円弧部５４Ｄａａの段差５４Ｄａｃはリング突起部５３Ｂｃの下端よりも低く、第２円弧部５４Ｄａｂの段差５４Ｄａｄはリング突起部５３Ｂｃの下端と同じかそれよりも１ｍｍ〜５ｍｍ程度高い。そのため、リング突起部５３Ｂｃ（第１回転阻害部）と第２円弧部５４Ｄａｂ（第２回転阻害部）が係合する位置においては、リング突起部５３Ｂｃと第２円弧部５４Ｄａｂが当接して第１自由保持部５４が回転し難くなっている。したがって、当該個所で第１自由保持部５４を回転させるためには使用者が力をかける必要がある。
図１１（ａ）に示す状態から、延出部５４Ｂが下方（反頭頂部側）となるように使用者が第１自由保持部５４を９０度回転させると図１１（ｂ）に示す状態となる。これにより第１自由保持部５４は第１固定保持部５３に対して回転可能に係止される。このとき爪部５４Ｄｄは鍔部５３Ｂｂの背面側に潜りこみ、爪部５４Ｄｄの表面が鍔部５３Ｂｂの背面に接触する。したがって、この状態で第１自由保持部５４を引っ張っても爪部５４Ｄｄが鍔部５３Ｂｂに引っ掛かるので容易に外れることはない。また、リング突起部５３Ｂｃ（第１回転阻害部）と第２円弧部５４Ｄａｂ（第２回転阻害部）の係合によって回転が所定範囲に制限されるので、顎紐１２の一定の変位（振れ）を許容しつつ、意図せず第１自由保持部５４が外れてしまうことを防止できる。
【００２８】
このように、凸部５４Ｄを凹部５３Ｂに差し込んだ後に第１自由保持部５４を所定角度回転させることによって、凸部５４Ｄと凹部５３Ｂが嵌合してロックされる。第１自由保持部５４の第１固定保持部５３からの取り外しは、第１自由保持部５４を所定角度回転させてロックを解除し、凸部５４Ｄを凹部５３Ｂから引き抜くことにより行う。なお、第１固定保持部５３に凸部を設け、第１自由保持部５４に凹部を設けてもよい。
また、図９及び図１１において、一方のリング突起部５３Ｂｃと他方のリング突起部５３Ｂｃとは左右対称の位置に設けられているが、両者の円周方向の間隔は第１自由保持部５４が意図せず外れない範囲で変更してもよい。例えば図９及び図１１において、一方のリング突起部５３Ｂｃを左側とすると、第１自由保持部５４の回転許容範囲（顎紐１２の変位）を大きくしたい場合には、右側の他方のリング突起部５３Ｂｃを反時計回りに約１７０度離れた位置に設け、第１自由保持部５４の回転許容範囲（顎紐１２の変位）を小さくしたい場合には、右側の他方のリング突起部５３Ｂｃを反時計回りに約４５から１００度離れた位置に設ける。なお、リング突起部５３Ｂｃを３箇所以上に配置してもよい。
【００２９】
また、図１及び図６に示すように、衝撃吸収ライナ４０の端面の一部は前側顎紐保持部５１の周縁に沿うように配置されている。衝撃吸収ライナ４０の端面と前側顎紐保持部５１の周縁との隙間は、帽体１１の前方側に比べて後方側が狭くなっている。
これにより、第１自由保持部５４は、凹部５３Ｂの切欠部５３Ｂｄの向きと凸部５４Ｄの爪部５４Ｄｄの向きを合わせて凹部５３Ｂに凸部５４Ｄを挿入した状態から、帽体１１の前方側に約１００度回転すると延出部５４Ｂが衝撃吸収ライナ４０の端面に当接し、帽体１１の後方側に約２０度回転すると延出部５４Ｂが衝撃吸収ライナ４０に当接するので、一回転することができない。このように第１自由保持部５４の回転を一定の範囲に規制して一回転しないようにすることで、顎紐１２の捩れを効果的に防止することができる。
【００３０】
図１２は本実施例による顎紐を取り付けたヘルメットの内側の状態を示す一部拡大図であり、図１３は本実施例による顎紐を取り外したヘルメットの内側の状態を示す一部拡大図である（衝撃吸収ライナ等は省略している）。
後側顎紐保持部５２は、帽体帽体１１に固定された第２固定保持部５６と、第２固定保持部５６に脱着可能に係止される第２自由保持部５７とからなる。
帽体１１の後方側の外面に設けられた外装部材係止部７０の下方の帽体１１には貫通孔（図示無し）が形成されており、第２固定保持部５６は、その貫通孔を介して帽体１１の後方側の外面に設けられた外装部材係止部７０に固定されている。
第２固定保持部５６は略円形であり、外周の一部から延出した接続延出部５６Ａが設けられ、内周側に凹部５６Ｂが形成されている。接続延出部５６Ａによって第２固定保持部５６と帽体１１の後方側の外面に設けられた外装部材係止部７０とが固定される。このように、第２固定保持部５６を帽体１１に直接固定するのではなく、帽体１１の外面に設けられた外装部材掛止部７０に固定することで、帽体１１の厚みを厚くしたり別部材を設けたりする必要が無い。
【００３１】
凹部５６Ｂは、略円形のリング部５６Ｂａと、第２自由保持部５７との対向面側にリング部５６Ｂａの内周に沿って設けられた鍔部５６Ｂｂと、鍔部５６Ｂｂの一部を切欠いて形成された切欠部５６Ｂｄとを備える。
リング部５６Ｂａは、二つの第３円弧部５６Ｂａａと、第３円弧部５６Ｂａａよりも高い二つの第４円弧部５６Ｂａｂとからなる。第３円弧部５６Ｂａａと第４円弧部５６Ｂａｂは切れ目なく連接して交互に配置されている。第１回転阻害部となる第４円弧部５６Ｂａｂの両端には軸方向に突出したリング突起部５６Ｂｃが設けられている。
鍔部５６Ｂｂは略円形であり、リング部５６Ｂａの厚みよりも薄い。鍔部５６Ｂｂの内周側に円形孔部５６Ｂｅが形成される。
切欠部５６Ｂｄは、鍔部５６Ｂｂの二箇所に形成され、一方の切欠部５６Ｂｄと他方の切欠部５６Ｂｄとは１８０度離れて位置する。切欠部５６Ｂｄは、帽体１１に第２固定保持部５６が固定された状態において、上方側（頭頂部側）と下方側（反頭頂部側）に位置している。
第４円弧部５６Ｂａｂの中心は、切欠部５６Ｂｄから９０度離れた位置に設けられている。
【００３２】
図１４は本実施例による第２自由保持部の斜視図である。
第２自由保持部５７は、所定の厚みを有する略円形の小片である。第２自由保持部５７の一方の面の中央部には、凹部５６Ｂに嵌合する凸部５７Ａが設けられている。他方の面には凸部５７Ａが設けられていないので、第２自由保持部５７を常に正しい向きで第２固定保持部５６に装着できる。したがって、顎紐１２の捩れを防止することができる。
凸部５７Ａのさらに内側には細長い直線状の開口である二つの接続開口５７Ｂが形成されている。顎紐１２の中間部は、接続開口５７Ｂに通されている。
凸部５７Ａは、円板状の円板部５７Ａａと、円板部５７Ａａの内側に設けられた略円形の内側円環部５７Ａｂとを備える。
内側円環部５７Ａｂには、外周の二箇所に径方向外側に突出した爪部５７Ａｃが設けられている。一方の爪部５７Ａｃと他方の爪部５７Ａｃとは１８０度離れて位置する。爪部５７Ａｃの幅は凹部５６Ｂの切欠部５６Ｂｄの幅よりも小さく、第２自由保持部５７を第２固定保持部５６に装着する際に爪部５７Ａｃは切欠部５６Ｂｄに挿入される。
円板部５７Ａａの外周と爪部５７Ａｃとの間には、第２回転阻害部となる二つの円板突起部５７Ａｄが設けられている。円板突起部５７Ａｄは、軸方向に突出している。
【００３３】
図１５は本実施例による第２自由保持部と第２固定保持部が嵌合した状態の斜視図である。
第２自由保持部５７を第２固定保持部５６に係止する場合には、凹部５６Ｂの切欠部５６Ｂｄの向きと凸部５７Ａの爪部５７Ａｃの向きを合わせて、凹部５６Ｂに凸部５７Ａを挿入する。
凹部５６Ｂに凸部５７Ａが嵌合された状態から使用者が第２自由保持部５７を９０度回転させると、図１５（ｂ）に示すように、円板突起部５７Ａｄが一つ目のリング突起部５６Ｂｃを乗り越えて第４円弧部５６Ｂａｂに位置した状態となる。これにより、第２自由保持部５７は、第２固定保持部５６に対して回転可能に係止される。
なお、図１５（ａ）は円板突起部５７Ａｄが一つ目のリング突起部５６Ｂｃを乗り越える前の状態を示している。
第４円弧部５６Ｂａｂの高さは第３円弧部５６Ｂａａよりも高くなっているので、第４円弧部５６Ｂａｂ（第１回転阻害部）と円板突起部５７Ａｄ（第２回転阻害部）が係合する位置においては、第２自由保持部５７が回転し難い。さらに第４円弧部５６Ｂａｂは両端にリング突起部５６Ｂｃを有するので、円板突起部５７Ａｄを第４円弧部５６Ｂａｂから第３円弧部５６Ｂａａに移動させようとする場合には、使用者が力をかける必要がある。
図１５（ｂ）に示す状態のとき爪部５７Ａｃは鍔部５６Ｂｂの背面側に潜りこみ、爪部５７Ａｃの表面が鍔部５６Ｂｂの背面に接触する。したがって、この状態で第２自由保持部５７を引っ張っても爪部５７Ａｃが鍔部５６Ｂｂに引っ掛かるので容易に外れることはない。また、第４円弧部５６Ｂａｂ（第１回転阻害部）と円板突起部５７Ａｄ（第２回転阻害部）の係合によって第２自由保持部５７の回転が抑制され、顎紐１２の変位を抑えることができる。また、図１５（ｂ）に示す状態から図１５（ａ）に示す状態になるには、円板突起部５７Ａｄがリング突起部５６Ｂｃを乗り越える必要があるため、意図せず第２自由保持部５７が外れてしまうことを防止できる。
このように、凸部５７Ａを凹部５６Ｂに差し込んだ後に第２自由保持部５７を所定角度回転させることによって、凸部５７Ａと凹部５６Ｂが嵌合してロックされる。第２自由保持部５７の第２固定保持部５６からの取り外しは、第２自由保持部５７を所定角度回転させてロックを解除し、凸部５７Ａを凹部５６Ｂから引き抜くことにより行う。なお、第２固定保持部５６に凸部を設け、第２自由保持部５７に凹部を設けてもよい。
また、顎紐１２の変位を抑える必要がないときは、第４円弧部５６Ｂａｂの高さを第３円弧部５６Ｂａａの高さ以下にしてもよい。更に、第２自由保持部５７の回転許容範囲（顎紐１２の変位）を大きくしたい場合には、第４円弧部５６Ｂａｂの円周方向の長さを大きくすればよい。第４円弧部５６Ｂａｂの円周方向の長さを大きくすると、その両端に設けたリング突起部５６Ｂｃの間隔が大きくなるため、第２自由保持部５７の回転許容範囲（顎紐１２の変位）も大きくなる。第２自由保持部５７が意図せず外れない範囲を考慮すると、両端に設けたリング突起部５６Ｂｃの間隔は最大約１７０度であるが、それほど第２自由保持部５７の回転許容範囲（顎紐１２の変位）を大きくする必要が無い場合には、その間隔を約３０から１１０度の範囲内とすることが第２自由保持部５７の外れ防止の観点から好ましい。
【００３４】
このように、第１自由保持部５４に顎紐１２の端部が接続され、第２自由保持部５７に顎紐１２の中間部が通されているので、第１自由保持部５４及び第２自由保持部５７を第１固定保持部５３及び第２固定保持部５６から取り外すことで、顎紐１２を帽体１１から取り外すことができる。したがって、顎紐１２が汚損した場合などに容易に交換することができる。
なお、本実施例において顎紐保持部５０は、帽体１１の内側の一方の側面と他方の側面に一対で配置される前側顎紐保持部５１と、後面中央に配置される後側顎紐保持部５２とを備える場合を説明したが、個数や配置は任意に変更することができる。また、前側顎紐保持部５１に凹部５６Ｂと凸部５７Ａを用いることも可能であり、後側紐保持部５２に凹部５３Ｂと凸部５４Ｄを用いることも可能である。
【００３５】
図１６は本発明の他の実施例によるヘルメットの内側を側方から見た斜視図、図１７は同ヘルメットに装着されるヘッドバンド調節具の一部透過概略構成図、図１８は同ヘッドバンド調節具の分解図、図１９は図１８と反対の視点からみた同ヘッドバンド調節具の分解図、図２０は同ヘッドバンド調節具の組立図である。なお、上記実施例と同一機能部材には同一符号を付して説明を省略する。
図１６に示すように、ヘルメット１０は、硬質の帽体１１の内面に、使用者の前頭部から側頭部にかけて包囲する固定長の前側バンド部２１、使用者の後頭部から側頭部にかけて包囲する固定長の後側バンド部２２、及び掛止具１３を有している。
前側バンド部２１及び後側バンド部２２の、それぞれの一方の端部と他方の端部には、ヘッドバンド調節具６０との接続用の略円形の開口が形成されている。
掛止具１３は、第１掛止片１３ａと第２掛止片１３ｂとからなり、帽体１１の内面の左右側部に一対ずつ対称に固定される。第１掛止片１３ａと第２掛止片１３ｂとは所定の間隔をあけて固定されており、ヘッドバンド調節具６０は、第１掛止片１３ａと第２掛止片１３ｂとの間に差し込まれる。差し込まれたヘッドバンド調節具６０の両端は、第１掛止片１３ａ及び第２掛止片１３ｂによって保持される。
【００３６】
ヘッドバンド調節具６０は、帽体１１の一方の側部の内面に配置する第１調節具６０Ａと、帽体１１の他方の側部の内面に配置する第２調節具６０Ｂとからなる。帽体１１の内面にヘッドバンド調節具６０を配置することによって、ヘルメット１０の外面の凹凸を少なくすることができる。
図１７から図２０に示すように、第１調節具６０Ａ及び第２調節具６０Ｂは、本体部９０、本体部９０に水平動可能に係合するスライド部１００、後側バンド部２２の端部が係止される第３バンド係止部３２Ａ（第４バンド係止部３２Ｂ）、使用者がスライド部１００を水平方向に動かす操作に用いる操作部１１０、上面に複数の歯１２１を有するレール部１２０、及びカバー部１３０をそれぞれ備える。
【００３７】
本体部９０は、矩形の板状の板部９１と、板部９１の一方の側部９１ａの上端から延出した第１バンド係止部３１Ａ（第２バンド係止部３１Ｂ）を備え、長手方向が帽体１１の前後方向となるように掛止具１３によって帽体１１の側部の内面に固定される。
第１バンド係止部３１Ａ（第２バンド係止部３１Ｂ）には略円柱状の第１突起部３４Ａ（第２突起部３４Ｂ）が設けられている。第１調節具６０Ａの第１突起部３４Ａ（第２突起部３４Ｂ）に前側バンド部２１の一方の端部に形成された開口が嵌着され、第２調節具６０Ｂの第１突起部３４Ａ（第２突起部３４Ｂ）に前側バンド部２１の他方の端部に形成された開口が嵌着されることによって、前側バンド部２１の両端がヘッドバンド調節具６０に固定される。
また、本体部９０は、帽体１１の側部の内面形状に沿って湾曲している。本体部９０を帽体１１の側部の内面形状に沿って湾曲させることで、本体部９０と帽体１１との接触面積を大きくすることができ、ヘッドバンド調節具６０を帽体１１に取り付けたときの安定性が向上する。
板部９１は、収納部９３と、固定用スリット部（開口）９４を備える。
収納部９３は、板部９１の両側部（一方の側部９１ａ及び他方の側部９１ｂ）が外方向に折り曲げられ、折り曲げられた両側部９１ａ、９１ｂの下部を棒状の下部接続部９５で接続することによって形成される。すなわち収納部９３は、板部９１と帽体１１の側部の内面との間に位置する。また、収納部９３の下部には、レール部１２０の両端を保持するレール保持部９３ａ、９３ｂを備える。レール保持部９３ａ、９３ｂは、例えば、板部９１の折り曲げられた両側部９１ａ、９１ｂの下端を延出し、延出した部分がそれぞれ対向する側部の方向に折り曲げられることによって形成される。
固定用スリット部９４は、板部９１の長手方向にわたる矩形状の開口である。後述のように、スライド部１００と第３バンド係止部３２Ａ（第４バンド係止部３２Ｂ）とは固定用スリット部９４を貫通するスライド接続部３９を介して接続することができるので、両者の接続が最短距離で済み、ヘッドバンド調節具６０を小型化することができる。
【００３８】
レール部１２０は、板部９１の長手方向の長さとほぼ同じ長さを有する直方体であり、上面には複数の歯１２１が設けられ、下面には凹部１２２が設けられている。凹部１２２の位置は、上面に設けた歯１２１と歯１２１の間の部分に対応する。歯１２１は、前後方向のどちらかに傾くことなく直立している。
レール部１２０は、複数の歯１２１による歯面が形成された上面を上方向に向けた状態で、レール保持部９３ａ、９３ｂによって保持される。
このように本体部９０とレール部１２０とを別部材で構成することによって、本体部９０にレールを形成する場合と比べて、本体部９０の厚みを薄くすることができるとともに、レール部１２０に必要な剛性を低く抑えることができる。
【００３９】
第３バンド係止部３２Ａ（第４バンド係止部３２Ｂ）は、本体部９０より内側すなわち板部９１の内面側（収納部９３が形成されていない側）に配置される。第３バンド係止部３２Ａ（第４バンド係止部３２Ｂ）は、上端に鍵爪部３８を有する。鍵爪部３８は、第１鍵爪片３８ａと、第２鍵爪片３８ｂとからなり、第１鍵爪片３８ａと第２鍵爪片３８ｂとは所定の間隔をあけて配置される。鍵爪片３８ａ、３８ｂを板部９１の上端に引っ掛けることによって第３バンド係止部３２Ａ（第４バンド係止部３２Ｂ）が本体部９０に装着される。なお、鍵爪片３８ａ、３８ｂと板部９１の上端との間にわずかな隙間を設けることで、第３バンド係止部３２Ａ（第４バンド係止部３２Ｂ）が板部９１の内面に沿って水平動すること、すなわち前後方向への移動を可能としている。
第３バンド係止部３２Ａ（第４バンド係止部３２Ｂ）は、内面（板部９１への取付け側とは反対の面）に、後側バンド部２２の端部が係止される第３突起部３５Ａ（第４突起部３５Ｂ）を備え、その外面（板部９１への取付け側の面）に、スライド部１００と接続するスライド接続部３９を備える。
第３突起部３５Ａ（第４突起部３５Ｂ）は、円環状の突起を成し外周面に歯面を有する。第１調節具６０Ａの第３突起部３５Ａ（第４突起部３５Ｂ）に後側バンド部２２の一方の端部に形成された開口が嵌合され、第２調節具６０Ｂの第３突起部３５Ａ（第４突起部３５Ｂ）に後側バンド部２２の他方の端部に形成された開口が嵌合されることによって、
後側バンド部２２の両端がヘッドバンド調節具６０に固定される。
スライド接続部３９は、第１突設片３９ａと、第２突設片３９ｂとからなり、第１突設片３９ａと第２突設片３９ｂとは所定の間隔をあけて配置される。第１突設部３９ａ及び第２突設部３９ｂは、固定用スリット部９４を貫通し、それぞれの先端部が板部９１の外面側に配置される。
【００４０】
スライド部１００は、プラスチックばね等の弾性材で構成され、立柱部（当接部）１０１と、立柱部１０１の両側に設けた二つの拡縮部１０２と、立柱部１０１の下部に設けた土台部１０３とからなる。
拡縮部１０２は、棒状の弾性材が側方に突出した後に約１８０度湾曲してＵ字状に形成され、下部は鉛直方向に突出している。
土台部１０３は、逆Ｔ字状であり、上端と下端との間には窪み１０３ａを設けている。
スライド部１００は、本体部９０の板部９１と帽体１１の側部の内面との間に位置する収納部９３に、立柱部１０１と土台部１０３でレール部１２０を上下に挟みこむように配置される。このとき窪み１０３ａにはレール部１２０が嵌合し、立柱部１０１の下端はレール部１２０の歯面に当接する。また、鉛直方向に突出した拡縮部１０２の下部は、第１突設片３９ａ及び第２突設片３９ｂと係合することによって固定される。したがって、スライド部１００は第３バンド係止部３２Ａ（第４バンド係止部３２Ｂ）と接続される。スライド部１００はプラスチックばね等の弾性材で構成されているので、自らの付勢力によって立柱部１０１の下端はレール部１２０に押し付けられる。したがって、スライド部１００に別部材で構成した付勢部を設ける必要が無いため、部品点数を減らして軽量化を図ることができる。
また、レール部１２０及びスライド部１００が配置された収納部９３にはカバー部１３０が配置され、各部材の脱落が防止される。
【００４１】
操作部１１０は、所定長を有する操作アーム部１１１と、操作本体部１１２とを備える。
操作アーム部１１１は、第１操作アーム部１１１Ａと第２操作アーム部１１１Ｂとからなる。第１操作アーム部１１１Ａは、一方の端部１１１Ａａがスライド部１００の土台部１０３の下端に配置され、他方の端部１１１Ａｂが斜め前下方に突出して配置される。第２操作アーム部１１１Ｂは、一方の端部１１１Ｂａがスライド部１００の土台部１０３の下端に配置され、他方の端部１１１Ｂｂが斜め後下方に突出して配置される。
第１操作アーム部１１１Ａの他方の端部１１１Ａｂ及び第２操作アーム部１１１Ｂの他方の端部１１１Ｂｂには、使用者が押圧する押圧部１１３を備える。また、第１操作アーム部１１１Ａの一方の端部１１１Ａａ及び第２操作アーム部１１１Ｂの一方の端部１１１Ｂａには、使用者が押圧部１１３を水平方向（前後方向）に押圧したときに土台部１０３の下端と接触する押上部１１４を備える。
押上部１１４の上面は傾斜しており、端部側１１４ａが反端部側１１４ｂよりも低くなっている。
操作本体部１１２には、第１操作アーム部１１１Ａ及び第２操作アーム部１１１Ｂが装着される。操作本体部１１２には、装着された第１操作アーム部１１１Ａ及び第２操作アーム部１１１Ｂがそれぞれ所定間を往復動するための山型の経路１１２ａが設けられている。
操作部１１０は、本体部９０の板部９１と帽体１１の側部の内面との間に位置する収納部９３に、スライド部１００の下側に位置するように配置され、第３バンド係止部３２Ａ（第４バンド係止部３２Ｂ）の下部に操作本体部１１２が接続される。
【００４２】
上記のように構成されたヘッドバンド調節具６０が装着されたヘルメット１０の使用者が、後側バンド部２２を締めようとするときには、ヘルメット１０を頭部に載置した状態で第２操作アーム部１１１Ｂの押圧部１１３を前方向に押す。すると、第２操作アーム部１１１Ｂが前方向に移動し、傾斜上面を有する押上部１１４によって土台部１０３が上方向に押し上げられる。スライド部１００の拡縮部１０２の下端はスライド接続部３９に固定されているため、土台部１０３が上方向に押し上げられると拡縮部１０２が拡がる。拡縮部１０２の上方向に拡がる力が立柱部１０１を下方向（レール部１２０方向）に押し付けている力を上回ると立柱部１０１が上方向に持ち上げられる。立柱部１０１の下端が歯１２１の先端近傍まで持ち上げられると、歯１２１によるスライド部１００の水平動（前後方向への動き）の規制が解除され、スライド部１００は前方向に移動する。スライド部１００には後側バンド部２２の端部が係止された第３バンド係止部３２Ａ（第４バンド係止部３２Ｂ）が接続されているので、スライド部１００の前方向への移動に伴って第３バンド係止部３２Ａ（第４バンド係止部３２Ｂ）も前方向に移動し、使用者の頭部は後側バンド部２２によって締め付けられる。
使用者が後側バンド部２２を緩めようとするときには、ヘルメット１０を頭部に載置した状態で第１操作アーム部１１１Ａの押圧部１１３を後方向に押す。すると、第１操作アーム部１１１Ａが後方向に移動し、傾斜上面を有する押上部１１４によって土台部１０３が上方向に押し上げられる。スライド部１００の拡縮部１０２の下端はスライド接続部３９に固定されているため、土台部１０３が上方向に押し上げられると拡縮部１０２が拡がる。拡縮部１０２の上方向に拡がる力が立柱部１０１を下方向（レール部１２０方向）に押し付けている力を上回ると立柱部１０１が上方向に持ち上げられる。立柱部１０１の下端が歯１２１の先端近傍まで持ち上げられると、歯１２１によるスライド部１００の水平動（前後方向への動き）の規制が解除され、スライド部１００は後方向に移動する。スライド部１００の後方向への移動に伴って第３バンド係止部３２Ａ（第４バンド係止部３２Ｂ）も後方向に移動し、使用者の頭部を締め付けていた後側バンド部２２が緩むこととなる。
後側バンド部２２を緩める又は締め付ける操作を行っていた使用者が操作部１１０から手を離すと、第１操作アーム部１１１Ａ又は第２操作アーム部１１１Ｂが移動して元の位置に戻るため、押上部１１４によって上方向に押し上げられていた土台部１０３も下方向に移動して元の位置に戻る。土台部１０３が下方向に移動すると、拡がっていた拡縮部１０２は縮まって元の形状に戻る。拡縮部１０２が元の形状に戻ると、立柱部１０１の下端はレール部１２０の歯１２１と歯１２１との間の部分に再度当接する。立柱部１０１の下端は立柱部１０１自らの付勢力によってレール部１２０に押し付けられるため、スライド部１００、及びスライド部１００に接続する第３バンド係止部３２Ａ（第４バンド係止部３２Ｂ）がその位置で固定され、後側バンド部２２の位置が決まる。
このように、使用者が操作部１１０に加えた水平方向の押圧力は、上方向への力に変換されるため、使用者は、後側バンド部２２を緩めようとするときは操作部１１０を後方向に押し、締めようとするときは操作部１１０を前方向に押すという、直観的な操作を行うことができる。また、操作部１１０を前方向又は後方向に押し、任意の位置で手を離すだけで操作が完了するので、素早く後側バンド部２２の締め付け力を調節することができる。
【００４３】
なお、操作部１１０は、一方の端部がスライド部１００の土台部１０３の下端に配置され、他方の端部が横方向（帽体１１の側部と垂直になる方向）の斜め下方に突出して配置された、一つの操作アーム部を備えるものとしてもよい。この場合に使用者は、操作アーム部を左方向又は右方向に水平に押圧した状態で前後に動かすことによって後側バンド部２２の位置を調節することができる。したがって、この場合にも使用者は直観的な操作を行うことができる。
【００４４】
なお、上記実施例においてヘッドバンド調節具６０は、帽体１１の左右側面に一対の調節具（第１調節具６０A，第２調節具６０Ｂ）を配置するものとして説明したが、ヘッドバンド調節具６０は一箇所のみに配置するものとすることもできる。その場合には、例えば、帽体１１の後部の内面にヘッドバンド調節具６０を配置し、使用者の頭部を包囲するヘッドバンドの一方の端部をヘッドバンド調節具６０のスライド部に接続し、ヘッドバンドの他方の端部を帽体１１の内面等に固定する。
【００４５】
図２１は本発明の更に他の実施例によるヘッドバンド調節具を示す一部透過概略構成図である。なお、上述の実施例と同一機能部には同一符号を付して説明を省略する。
本実施例によるヘッドバンド調節具６０の本体部９０は、板部９１に、水平方向（長手方向）に細長い矩形状の開口２９４が形成され、開口２９４に複数の歯２７１が設けられている。すなわち、図１６から図１９に示すようにレール部１２０を本体部９０とは別に設けるのではなく、スライド部１００と嵌合するレールと本体部９０とを一体化している。このように歯面を有するレールを本体部９０に設けることによって、本体部９０とレール部を別部材で構成した場合と比べて、部品点数を減らして軽量化を図ることができる。
なお、板部９１に開口２９４を設けず、板部９１の上面に複数の歯２７１からなる歯面を設けてもよい。
【００４６】
図２２は本発明の更に他の実施例によるヘッドバンド調節具を示す概略構成図である。なお、上述の実施例と同一機能部には同一符号を付して説明を省略する。
本実施例によるヘッドバンド調節具６０のスライド部２００の上部には、付勢部として金属製の第１ばね２０１が配置されている。第１ばね２０１の下面は、スライド部２００の上面に接しており、第１ばね２０１の鉛直方向の付勢力によって、スライド部２００はレール部１２０に押し付けられる。なお、付勢部は、第１ばね２０１のようにスライド部２００の上側から付勢するものではなく、レール部１２０の下側に設けられ、スライド部２００を下側から引っ張ることでレール部１２０に押し付けるものであってもよい。
また、第１操作アーム部１１１Ａと第２操作アーム部１１１Ｂとの間には、第２ばね２０２が設けられている。第２ばね２０２の前後方向の長さは、第１操作アーム部１１１Ａと第２操作アーム部１１１Ｂとの間隔にほぼ等しい。したがって第２ばね２０２は、使用者が第１操作アーム部１１１Ａ又は第２操作アーム部１１１Ｂ押圧したときには、第１操作アーム部１１１Ａと第２操作アーム部１１１Ｂの間隔が狭まることにより圧縮されて縮み、使用者が手を離すと元の形状に戻る。したがって、第１操作アーム部１１１Ａ又は第２操作アーム部１１１Ｂが元の位置に戻るのを付勢することができる。
【産業上の利用可能性】
【００４７】
本発明による回動可能なヘッドバンドを備えたヘルメットは、特に登山用や自転車用などのヘルメットに適用することができる。
【符号の説明】
【００４８】
１０  ヘルメット
１１  帽体
１２  顎紐
２０  ヘッドバンド
２１  前側バンド部
２２  後側バンド部
２３Ａ  第１孔部
２３Ｂ  第２孔部
２４Ａ  第３孔部
２５  第１バンド保持部
２５Ａ  第１の凹部
２６  第２バンド保持部
２６Ａ  第２の凹部
２７  第３バンド保持部
２７Ａ  第１の凸部
３１Ａ  第１バンド係止部
３１Ｂ  第２バンド係止部
３２Ａ  第３バンド係止部
３２Ｂ  第４バンド係止部
３４Ａ  第１突起部
３４Ｂ  第２突起部
３５Ａ  第３突起部
３５Ｂ  第４突起部
３６  第７バンド保持部
３６Ａ  第３の凸部
３７  第８バンド保持部
３７Ａ  第４の凸部
４０  衝撃吸収ライナ
５０  顎紐保持部
５３  第１固定保持部
５３Ｂ  凹部
５３Ｂａ、５６Ｂａ  リング部
５３Ｂｂ、５６Ｂｂ  鍔部
５３Ｂｃ  リング突起部（第１回転阻害部）
５３Ｂｄ、５６Ｂｄ  切欠部
５４  第１自由保持部
５４Ｄ  凸部
５４Ｄａ  外側円環部
５４Ｄａｂ  第２円弧部（第２回転阻害部）
５４Ｄｂ、５７Ａｂ  内側円環部
５４Ｄｃ  溝部
５４Ｄｄ、５７Ａｃ  爪部
５６  第２固定保持部
５６Ｂ  凹部
５６Ｂａｂ  第４円弧部（第１回転阻害部）
５７  第２自由保持部
５７Ａ  凸部
５７Ａａ  円板部
５７Ａｄ  円板突起部（第２回転阻害部）
６０  ヘッドバンド調節具
６０Ａ  第１調節具
６０Ｂ  第２調節具
７０  外装部材掛止部
９０  本体部
９１  板部
９３ａ  レール保持部
９３ｂ  レール保持部
９４  開口（固定用スリット部）
１００  スライド部（兼付勢部）
１０１  立柱部（当接部）
１１０  操作部
１１１  操作アーム部
１１１Ａ  第１操作アーム部
１１１Ｂ  第２操作アーム部
１１３  押圧部
１１４  押上部
１２０  レール部
１２１  歯
２０１  第１ばね（付勢部）
２９４  開口
【図１】
0006671131.tif 000002
【図２】
0006671131.tif 000003
【図３】
0006671131.tif 000004
【図４】
0006671131.tif 000005
【図５】
0006671131.tif 000006
【図６】
0006671131.tif 000007
【図７】
0006671131.tif 000008
【図８】
0006671131.tif 000009
【図９】
0006671131.tif 000010
【図１０】
0006671131.tif 000011
【図１１】
0006671131.tif 000012
【図１２】
0006671131.tif 000013
【図１３】
0006671131.tif 000014
【図１４】
0006671131.tif 000015
【図１５】
0006671131.tif 000016
【図１６】
0006671131.tif 000017
【図１７】
0006671131.tif 000018
【図１８】
0006671131.tif 000019
【図１９】
0006671131.tif 000020
【図２０】
0006671131.tif 000021
【図２１】
0006671131.tif 000022
【図２２】
0006671131.tif 000023